(57)【特許請求の範囲】
【請求項１】
各種の場所・会場・式場、例えば各種の結婚式会場等の祭壇側及び参列者席に向けて配置した任意数の撮像手段と、
前記結婚式会場等の祭壇側及び参列者席に画面を向けて配置した任意数の画像表示手段とを備え、
前記祭壇にて行われる新郎、新婦の指輪交換等の結婚式の各種行事及び前記結婚式会場等内の参列者席を、前記任意数の撮像手段により撮像して、前記画像表示手段の画面に表示するようにしたことを特徴とする各種結婚式場等における画像表示システム。
【請求項２】
各種の場所・会場・式場、例えば各種の結婚式会場等の祭壇側及び参列者席に向けて配置した任意数の撮像手段と、
前記結婚式会場等の祭壇側及び参列者席に画面を向けて配置され、絵画等の装飾物が表示された画面被覆部材を画面に対して被覆又は解放可能にしつつ備えた任意数の画像表示手段とを備え、
前記祭壇にて行われる新郎、新婦の指輪交換等の結婚式の各種行事及び前記結婚式会場等内の参列者席を、前記任意数の撮像手段により撮像して、前記画像表示手段の画面に表示するとともに、この画像表示手段の不使用時、すなわち結婚式以外の時には、前記絵画等の装飾物が表示された画面被覆部材にて前記画像表示手段の画面を覆うようにし、前記画像表示部があたかも絵画等の装飾物を嵌め込んだ額縁かのような体裁となるように構成したことを特徴とする各種結婚式場等における画像表示システム。
【発明の詳細な説明】
【発明の属する技術分野】
本発明は、各種結婚式場等における画像表示システムに関し、詳しくは、各種の場所・会場・式場、例えば教会をはじめとする各種の結婚式場等における結婚式の際に適用して好適な結婚式場等における画像表示システムに関する。
【従来の技術】
従来、例えば、教会をはじめとする各種の結婚式場等における結婚式において、結婚式の行事の内、新郎、新婦による指輪交換の儀式は、通常、各種式場の等の祭壇において参列者から視認しにくい状態で行われることが多く、このために、各参列者は新郎、新婦による指輪交換の状態を明確に見ることは困難である。
また、新郎、新婦にとっても、参列者は新郎、新婦の背部の離れた位置で参列しているため、参列者の顔等の表情を明確に見ることは困難である。
【発明が解決しようとする課題】
本発明は、上記従来の事情に鑑み開発されたものであり、各種の場所・会場・式場、例えば各種の結婚式会場等の各参列者にとっては新郎、新婦による指輪交換等の儀式を明確に見ることかができ、また、新郎、新婦にとっても参列者の顔等の表情を明確に見ることが可能な各種結婚式場等における画像表示システムを提供するものである。
【課題を解決するための手段】
請求項１記載の発明に係る各種結婚式場等における画像表示システムは、各種の場所・会場・式場、例えば各種の結婚式会場等の祭壇側及び参列者席に向けて配置した任意数の撮像手段と、前記結婚式会場等の祭壇側及び参列者席に画面を向けて配置した任意数の画像表示手段とを備え、前記祭壇にて行われる新郎、新婦の指輪交換等の結婚式の各種行事及び前記結婚式会場等内の参列者席を、前記任意数の撮像手段により撮像して、前記画像表示手段の画面に表示するようにしたことを特徴とするものである。
請求項２記載の発明に係る各種結婚式場等における画像表示システムは、各種の場所・会場・式場、例えば各種の結婚式会場等の祭壇側及び参列者席に向けて配置した任意数の撮像手段と、前記結婚式会場等の祭壇側及び参列者席に画面を向けて配置され、絵画等の装飾物が表示された画面被覆部材を画面に対して被覆又は解放可能にしつつ備えた任意数の画像表示手段とを備え、前記祭壇にて行われる新郎、新婦の指輪交換等の結婚式の各種行事及び前記結婚式会場等内の参列者席を、前記任意数の撮像手段により撮像して、前記画像表示手段の画面に表示するとともに、この画像表示手段の不使用時、すなわち結婚式以外の時には、前記絵画等の装飾物が表示された画面被覆部材にて前記画像表示手段の画面を覆うようにし、前記画像表示部があたかも絵画等の装飾物を嵌め込んだ額縁かのような体裁となるように構成したことを特徴とするものである。
請求項１記載の発明によれば、各種の場所・会場・式場、例えば各種の結婚式会場等における参列者にとっては新郎、新婦による指輪交換等の儀式を明確に見ることかができ、また、新郎、新婦にとっても参列者の顔等の表情を明確に見ることが可能となり、参列者及び新郎、新婦各者にとって結婚式の慶をより有意義に分かち合えることが可能な各種結婚式場等における画像表示システムを提供することができる。
請求項２記載の発明によれば、上述した請求項１記載の発明の効果に加え、結婚式等が執り行なわれない平常時には、画像表示手段を額縁かのように機能させることができる各種結婚式場等における画像表示システムを提供することができる。
【発明の実施の形態】
以下に、本発明の実施の形態の各種結婚式場等における画像表示システムについて詳細に説明する。
図１は、本発明の実施の形態の各種の結婚式場等における画像表示システムを設置した例えば教会のような結婚式場１の室内を示すものであり、結婚式場１の室内には新郎２、新婦３が指輪交換等の儀式を執り行なう祭壇Ｓが設けられ、また、祭壇Ｓの後方には所要数の参列者席４が設置されて、参列者が列設するようになっている。
本発明の画像表示システムは、図示する教会のような結婚式場１に限定されることなく、各種の場所・会場・式場、例えば各種結婚式場等に適用できることは勿論である。
また、結婚式場１の室内の壁面には、祭壇Ｓ側及び参列者席４に向けて配置した３台の撮像手段である各ビデオカメラ５、６、２０が設置されている。
更に、結婚式場１の室内の壁面には、２台の画像表示手段である液晶ディスプレイ等からなり額縁のように縁取りされた画像表示部７、８が設置され、例えば、一方の画像表示部７はその画面を前記参列者席４に向けて、また、他方の画像表示部８はその画面を前記祭壇Ｓ側に向けて各々配置している。
前記画像表示部７、８は、図２、図３に拡大して示すように、表面に例えば絵画１０等が表示されたロールスクリーン形式の画面被覆部材１１を画面に対して被覆又は解放可能とした画面被覆解放機構１２を搭載している。この画面被覆解放機構１２の画面の被覆、解放の機構は、手動でも、自動でも良い。
図２は画面被覆部材１１を巻き込んで画像表示部７、８の画面を解放した状態を示し、図３は画面被覆部材１１を引き出して画像表示部７、８の画面を覆う状態を示すものである。
図３に示す状態では、画面被覆部材１１に表示された例えば絵画１０等が表面に表出し、これにより、画像表示部７、８はあたかも例えば絵画１０等を嵌め込んだ額縁かのような体裁となり、画像表示部７、８としての本来の機能を隠す状態となっている。
本実施の形態では、撮像手段であるビデオカメラ５、６、２０を３台、画像表示部７、８を２ケ所に設けた例を説明しているが、本発明においては、ビデオカメラ、画像表示部の設置個数、設置位置を限定するものではない。
なお、本実施の形態では、前記画面被覆部材１１の画面に例えば絵画１０等を表したものを例示しているが、本発明においては、画面被覆部材１１の画面に表されるものとしては絵画１０に限定するものではなく、絵画以外の例えば、写真、刺繍等々の各種装飾物でも良い。
上述した本実施の形態に係る各種結婚式場等における画像表示システムによれば、前記祭壇Ｓにて行われる新郎２、新婦３による指輪交換等々の儀式を前記祭壇Ｓ側に向けたビデオカメラ５が撮像し、一方の画像表示部７により前記参列者席４に向けて表示する。
これにより、参列者席４に列設する参列者は、一方の画像表示部７を視認することで、図４に示すように、新郎２、新婦３による指輪交換等々の儀式を明確に見ることができる。
また、参列者席４に列設する参列者の画像は前記ビデオカメラ６、２０が撮像し、他方の画像表示部８は、ビデオカメラ６からの画像を前記祭壇Ｓ側に向けて表示する。
これにより、新郎２又は新婦３は、参列者席４側を振り替える等の所作をしなくても、画像表示部８を視認するだけで、参列者の顔等の表情を明確に見ることが可能となる。
更に、結婚式が執り行なわれない平常時においては、図３に示すように、画面被覆部材１１を引き出して画像表示部７、８の画面を覆う状態とすることによって、画面被覆部材１１に表示された例えば絵画１０等が画像表示部７、８の画面表面に表出し、これにより、画像表示部７、８はあたかも例えば絵画１０等を嵌め込んだ額縁かのような体裁となり、画像表示部７、８としての本来の機能を隠し、家庭や会社をはじめとする各種の場所で用いる額縁として機能している状態とすることができる。
【発明の効果】
本発明によれば、各参列者は新郎、新婦による指輪交換等の各種の儀式を明確に視認し見ることかができ、また、新郎、新婦も参列者の顔等を明確に視認し見ることが可能となり、参列者及び新郎、新婦各者にとって結婚式の慶をより有意義に分かち合えることが可能な各種結婚式場等における画像表示システムを提供することができる。
また、本発明によれば、上述した効果に加え、結婚式が執り行なわれない平常時には画像表示手段を額縁かのように機能させることができる各種結婚式場等における画像表示システムを提供することができる。
【図面の簡単な説明】
【図１】本発明の実施の形態の結婚式場等における画像表示システムの概略構成を示す斜視図である。
【図２】本発明の実施の形態の結婚式場等における画像表示システムの画像表示部の画面被覆部材を巻き込み画面を解放した状態の斜視図である。
【図３】本発明の実施の形態の結婚式場等における画像表示システムの画像表示部の画面被覆部材を引き出し画面を覆った状態の斜視図である。
【図４】本発明の実施の形態の結婚式場等における画像表示システムの画像表示部へ例えば新郎、新婦による指輪交換の画像を表示した正面図である。
【符号の説明】
１  結婚式場
２  新郎
３  新婦
４  参列者席
５  ビデオカメラ
６  ビデオカメラ
７  画像表示部
８  画像表示部
１０  絵画
１１  画面被覆部材
１２  画面被覆解放機構
２０  ビデオカメラ
Ｓ  祭壇
【図１】
0004459384.tif 000002
【図２】
0004459384.tif 000003
【図３】
0004459384.tif 000004
【図４】
0004459384.tif 000005